(57)【要約】【課題】階床ごとに開閉するドアが異なる二方口エレベータにおいて、利用者にどちらのドアが開くのかを分かりやすく知らせる。【解決手段】各ドアの近傍に配置されるかご内操作盤３ａ、３ｂの行先階登録ボタン４ａ、４ｂのうち、反対側のドアが開く階の行先階登録ボタン４ａ、４ｂに、反対側のドアが開くことを表示する開閉ドア表示部４０ａ、４０ｂを設け、利用者が開閉ドア表示部４０ａ、４０ｂが配置されている行先階登録ボタン４ａ、４ｂを押したときに、開閉ドア表示部４０ａ、４０ｂも併せて点灯し、利用者に行先階では反対側のドアが開くことを通知することができる。【選択図】図３
2010030714.tif 000002
【特許請求の範囲】
【請求項１】
複数のドアを備え階床ごとに開閉するドアが異なるエレベータかごに設置されるエレベータかご操作盤装置において、
複数の行先階登録ボタンを備えるとともに、少なくとも一つの行先階登録ボタンに対して、当該行先階登録ボタンが対象としている階床において開閉するドアを表示する開閉ドア表示部が設けられていることを特徴とするエレベータかご操作盤装置。
【請求項２】
前記エレベータかご操作盤装置は、
開閉ドア表示部が設けられている行先階登録ボタンが操作された際に、操作された行先階登録ボタンの開閉ドア表示部が点灯することを特徴とする請求項１に記載のエレベータかご操作盤装置。
【請求項３】
前記エレベータかご操作盤装置は、
開閉ドア表示部において、開閉するドアを表記する文字及び記号の少なくともいずれかが形どられ光を透過する表記部と、表記部以外の要素であって光を透過しない背景部を有し、
点灯前は表記部は背景部と同系色であり、点灯により表記部から光が透過して表記部が背景部から区別されて視認されることを特徴とする請求項２に記載のエレベータかご操作盤装置。
【請求項４】
前記エレベータかご操作盤装置は、
前記背景部には、光を透過しない非透過性インクが塗布され、前記表記部には、前記非透過性インクと同系色であって光を透過する透過性インクが塗布されていることを特徴とする請求項３に記載のエレベータかご操作盤装置。
【請求項５】
前記エレベータかご操作盤装置は、
開閉ドア表示部が設けられている行先階登録ボタンにおいて、行先階登録ボタンとその開閉ドア表示部とを点灯させる共通光源を備え、
開閉ドア表示部が設けられている行先階登録ボタンが操作された際に、操作された行先階登録ボタンとその開閉ドア表示部が共通光源により点灯することを特徴とする請求項２〜４のいずれかに記載のエレベータかご操作盤装置。
【請求項６】
前記エレベータかご操作盤装置は、
開閉ドア表示部が設けられている行先階登録ボタンにおいて、行先階登録ボタンを点灯させる第１の光源と、第１の光源と異なる色で発光して開閉ドア表示部を点灯させる第２の光源を備え、
開閉ドア表示部が設けられている行先階登録ボタンが操作された際に、操作された行先階登録ボタンが第１の光源により点灯し、操作された行先階登録ボタンの開閉ドア表示部が第２の光源により行先階登録ボタンと異なる色で点灯することを特徴とする請求項２〜４のいずれかに記載のエレベータかご操作盤装置。
【請求項７】
前記エレベータかご操作盤装置は、
開閉ドア表示部が、行先階登録ボタン内に配置されていることを特徴とする請求項１〜６のいずれかに記載のエレベータかご操作盤装置。
【請求項８】
前記エレベータかご操作盤装置は、
いずれかのドアの近傍に配置されており、
近傍のドア以外の他のドアが開閉する階床に対応する行先階登録ボタンに対して、他のドアが開閉することを表示する開閉ドア表示部が設けられていることを特徴とする請求項１〜７のいずれかに記載のエレベータかご操作盤装置。
【請求項９】
請求項１〜８のいずれかに記載のエレベータかご操作盤装置を備えることを特徴とするエレベータかご。
【発明の詳細な説明】
【技術分野】
【０００１】
本発明は、エレベータかご内に設置されるエレベータかご操作盤装置（以下、かご内操作盤ともいう）に関する。
【背景技術】
【０００２】
二方口エレベータではかご室に２つの出入口を有し階床毎に開く扉が異なる。
そして、二方口エレベータでは、各ドアの近傍にかご内操作盤が設置されており、通常エレベータの利用者は乗り込んだドア近傍のかご内操作盤に設けられた行先階登録ボタンを操作し、目的階を登録する。
通常の一方口エレベータではドアが１ケ所しかなく、利用者は乗り込んだドア面に向いて目的階に到着するまで待つことが多い。そのためドアが開いたことが視覚的に確認しやすく、すぐにかごから降りることができる。
【０００３】
しかし、二方口エレベータではドアが２つあるため、目的階でどちらのドアが開くか事前には分からない。
そのため、乗り込んだドアの反対側のドアが開くと、目的階に到着してもドアが開いたことに気がつかない場合がある。
二方口エレベータでどちらのドアが開くかを利用者に知らせる方法としては、例えば、特許文献１に記載の方法がある。
特許文献１では、エレベータが停止し、ドアが開く直前に音声アナウンスや表示を行うことで利用者に開くドアを通知する。
【特許文献１】特開２００７−１１９１０１号公報
【発明の開示】
【発明が解決しようとする課題】
【０００４】
以上のように、特許文献１の方法は、二方口エレベータにおいて階床ごとに開くドアを利用者に通知するものであるが、ドアが開く直前にアナウンスや表示を行うため、利用者が気づかない、もしくは気がつくまでに時間がかかりとっさにエレベータから降りられないという課題がある。
【０００５】
この発明は、上記のような課題を解決することを主な目的の一つとしており、複数のドアがあるエレベータかごにおいて、利用者にどのドアが開くのかを分かりやすく知らせることを主な目的とする。
【課題を解決するための手段】
【０００６】
本発明に係るエレベータかご操作盤装置は、
複数のドアを備え階床ごとに開閉するドアが異なるエレベータかごに設置されるエレベータかご操作盤装置において、
複数の行先階登録ボタンを備えるとともに、少なくとも一つの行先階登録ボタンに対して、当該行先階登録ボタンが対象としている階床において開閉するドアを表示する開閉ドア表示部が設けられていることを特徴とする。
【発明の効果】
【０００７】
本発明によれば、行先階登録ボタンに対して、当該行先階登録ボタンが対象としている階床において開閉するドアを表示する開閉ドア表示部が設けられているため、利用者が行先階登録ボタンを操作する際に、行先階において開閉するドアを利用者に通知することができる。
【発明を実施するための最良の形態】
【０００８】
実施の形態１．
本実施の形態では、二方口エレベータのかご内に設置され、行先階を登録した時に目的階での戸開側を適切に案内するエレベータかご操作盤装置を説明する。
【０００９】
図１は、二方口エレベータの概略を説明する図である。
図１において、二方口エレベータ１は、二つのドア２ａ、２ｂを有する。また、二方口エレベータ１の停止階によって開閉するドアが異なる。
図１の例では、１、２、４階では、かご室内の図中左側のドア２ａが開き、３階では右側のドア２ｂが開く。
【００１０】
また、図２に示すように、ドア２ａ、２ｂの近傍には、それぞれかご内操作盤３ａ、３ｂが設けられており、エレベータに乗り込んだ利用者は何れかのかご内操作盤の行先階登録ボタンを操作して各自の目的階を登録する。
図３に示すかご内操作盤３ａ、３ｂには行先階登録ボタン４ａ、４ｂの他に、かごの現在位置および運転方向を示す表示装置５ａ、５ｂ、各種のアナウンスを行う音声案内装置６ａ、６ｂが内蔵されている。
また、行先階登録ボタン４ａ、４ｂには、それぞれの行先階登録ボタンが対象としてる階床において開閉するドアを表示する開閉ドア表示部４０ａ、４０ｂが設けられている。
【００１１】
エレベータ利用者が図１のような二方口エレベータ１に１階から乗り込み、３階まで移動するとすると、通常はドア２ａの近くに設置されているかご内操作盤３ａの行先階登録ボタン４ａを操作する。
１階から乗り込んだ利用者が３階まで移動する場合、３階では乗り込んだ階（１階）とは反対側のドア２ｂが開くため、事前に反対側のドア２ｂが開くことを利用者に知らせることが必要である。
そのため、行先階登録ボタン４ａを操作し行先階が登録された場合、図４（ａ）に示す通り、行先階の数字（「３」）とともにボタンに設けた開閉ドア表示部４０ａ（「後ろ側ドア」）を点灯させ利用者に注意を促す。
また、利用者が３階から２階に降りる場合は、利用者はドア２ｂからエレベータかごに乗り込むので、かご内操作盤３ｂの２階の行先階登録ボタン４ｂが操作され、図４（ｂ）に示すように、かご内操作盤３ｂの２階の行先階登録ボタン４ｂの行先階の数字（「２」）と開閉ドア表示部（「後ろ側ドア」）が点灯する。
【００１２】
なお、乗り込んだドア側と同じドア側から下りる階に移動する場合（１階、２階、４階の間を移動する場合）には、戸開側を利用者に知らせる必要は特になく、開閉ドア表示部は設けない。
つまり、１階、２階、４階で開くドア２ａ近傍の行先階登録ボタン４ａでは、反対側のドアが開く３階の行先階登録ボタン４ａにのみ開閉ドア表示部４０ａを設けるが、３階で開くドア近傍の行先階登録ボタン４ｂでは反対側のドアが開く１階、２階、４階の行先階登録ボタン４ｂに開閉ドア表示部４０ｂを設ける（図３、図４）。
このため、かご内操作盤３ａの３階の行先階登録ボタン４ａが押された場合には、かご内操作盤３ｂの３階の行先階登録ボタン４ｂも同様に点灯するが、当該行先階登録ボタン４ｂにはドア開閉表示部が設けられていないので、行先階（「３」）のみが点灯する。
【００１３】
また、開閉ドア表示部４０ａ、４０ｂは、行先階を登録した場合にのみ視認されるようにすればよい。
つまり、開閉ドア表示部４０ａ、４０ｂは、通常（非点灯時）は見えないが、行先階が登録された場合に行先階登録ボタン応答灯（ランプやＬＥＤ（Ｌｉｇｈｔ  Ｅｍｉｔｔｉｎｇ  Ｄｉｏｄｅ）など）の点灯により文字が浮かび上がるように印刷されている。
【００１４】
図５は、行先階登録ボタン４と開閉ドア表示部４０の構成例を示している。
図５（ａ）は、行先階登録ボタン４と開閉ドア表示部４０を正面から見た図であり、図５（ｂ）は、行先階登録ボタン４と開閉ドア表示部４０を側面から見た図である。
図５（ｂ）に示すように、基板１１の表面に非透過性インクを塗ったフィルム等と透過性インクを塗ったフィルム等が貼られている。また、図５（ｂ）の７は、行先階登録ボタン４と開閉ドア表示部４０とを点灯させる共通光源たる応答灯である。
非透過性インクは、数字「３」（行先階表示）と文字列「後ろ側ドア」（開閉ドア表示部の表記部）の部分を除く部分に施され、数字「３」と文字列「後ろ側ドア」には施されていない。このため、数字「３」と文字列「後ろ側ドア」は光を透過し、これら以外の領域では光を透過しない。
また、透過性インクは文字列「後ろ側ドア」が記載されている範囲で非透過性インクと基材の間に貼られている。
このため、「後ろ側ドア」の部分（表記部）は透過性があり、それ以外の要素（背景部）は非透過性インクにより非透過である。
また、文字列「後ろ側ドア」の部分の透過性インクは非透過性インクと同系色である。
これによって、応答灯７が消えているときは行先階表示文字「３」が薄い状態で認識される。文字列「後ろ側ドア」は非透過性インクと同系色のため見えにくい。
次に応答灯が点灯すると、行先階表示文字「３」と文字列「後ろ側ドア」の部分に光が透過し、これらの文字が光る。
つまり、応答灯７が非点灯のとき行先階表示文字「３」は認識できるが、「後ろ側ドア」は見えにくい状態になっており、応答灯７が点灯すると行先階表示文字「３」とともに、「後ろ側ドア」が光り背景から区別されて視認される。
【００１５】
また、図５の例では、行先階の数字「３」と開閉ドア表示部の文字列「後ろ側ドア」を共通光源の応答灯７によって点灯させたが、図６に示すように、行先階の数字用の光源である応答灯７（第１の光源）と開閉ドア表示部用の光源である応答灯８（第２の光源）を設けることも可能である。
この場合には、開閉ドア表示部の応答灯８は、行先階登録ボタン用の応答灯７と点灯色を変えて、どちらのドアが開くのかをより分かりやすく表示することが可能となる。
たとえば、行先階登録ボタンの応答灯７はオレンジ色、開閉ドア表示部用の応答灯８は緑色などとすることが考えられる。
【００１６】
また、図７に示すように、側壁にもかご内操作盤３ｃが設けられているエレベータがある。
このようなかご内操作盤３ｃにおいて、例えば、図８に示すように、行先階登録ボタン４ｃに開閉ドア表示部４０ｃを設けるようにしてもよい。
この場合の開閉ドア表示部４０ｃは、例えば、図９に示すように、開閉するドアを矢印で示すようにし、各行先階登録ボタン４ｃが押されると、開閉ドア表示部４０ｃの矢印が点灯して、利用者に開閉するドアを通知することができる。
なお、図８において、５ｃは、表示装置５ａ、５ｂと同様の役割を持つ表示装置であり、６ｃは、音声案内装置６ａ、６ｂと同様の役割を持つ音声案内装置である。
【００１７】
このように、本実施の形態によれば、少なくとも一つの行先階登録ボタンに対して、当該行先階登録ボタンが対象としている階床において開閉するドアを表示する開閉ドア表示部が設けられ、開閉ドア表示部が設けられている行先階登録ボタンが操作された際に、操作された行先階登録ボタンの開閉ドア表示部が点灯する構成を有するため、利用者が行先階登録ボタンを操作した際に、各利用者の行先階ではどちらのドアが開くのかを、行先階を登録した直後に知らせることができ、利用者は目的階に到着する前に降りる方のドアに体を反転させる時間が十分あり、降りるドア側に向いて到着を待つことが可能である。
そのため、目的階に到着した時にスムーズに降りることができ、利便性およびエレベータ運行効率の向上が期待できる。
また、エレベータのスムーズな乗降が可能になるため、エレベータ運行の消費電力の低減を図ることができる。
【００１８】
また、本実施の形態によれば、開閉ドア表示部が設けられている行先階登録ボタンが操作された際に、操作された行先階登録ボタンの開閉ドア表示部が点灯するため、各利用者は行先階ではどちらのドアが開くのかを直感的に認識することができ、利用者は目的階に到着する前に降りる方のドアに体を反転させる時間が十分あり、降りるドア側に向いて到着を待つことが可能である。
【００１９】
また、ボタンを押す前に開閉ドア表示部が見えると、利用者は混乱するおそれがある。例えば、「後ろ側ドア」という文字を認識すると、利用者は後ろのドア用のボタンを操作する必要があると勘違いし混乱を招く可能性がある。
しかし、本実施の形態では、開閉ドア表示部の表記部は点灯前は背景部と同系色であり、行先階登録ボタンを押す前は開閉ドア表示部の表記部が見えにくいので、利用者に行先階だけを認識させることができ、混乱を生じさせない。
【００２０】
また、本実施の形態では、背景部には、光を透過しない非透過性インクが塗布され、表記部には、非透過性インクと同系色であって光を透過する透過性インクが塗布されているので、行先階登録ボタンを押す前は行先階登録ボタンを薄くでき、簡単な構造で、利用者に行先階だけを認識させることができるエレベータかご操作盤装置が得られる。
【００２１】
また、本実施の形態では、共通光源により行先階登録ボタンとその開閉ドア表示部とを点灯させるので、開閉ドア表示部を点灯させるための追加の光源を必要としない。
【００２２】
また、行先階登録ボタンを点灯させる第１の光源と開閉ドア表示部を点灯させる第２の光源が異なる色で発光するため、どちらのドアが開くのかをより分かりやすく表示することが可能となる。
【００２３】
また、本実施の形態では、開閉ドア表示部が、行先階登録ボタン内に配置されているので、利用者が行先階を登録する際に、行先階ではどちらのドアが開くのかを確実に利用者に知らせることができる。
【００２４】
また、本実施の形態では、エレベータかご操作盤装置の近傍のドア以外の他のドアが開閉する階床に対応する行先階登録ボタンに対して、他のドアが開閉することを表示する開閉ドア表示部が設けられているため、利用者はエレベータかご操作盤で行先階を登録する際に、他のドアが開閉することを容易に認識することができ、目的階に到着する前に他のドア側に向いて到着を待つことが可能であり、目的階に到着した時にスムーズに降りることができる。
【００２５】
なお、以上では、二方口エレベータを例にして説明を行ったが、ドアが３つ以上あるエレベータにも本実施の形態で示したエレベータかご操作盤装置は適用可能である。
【図面の簡単な説明】
【００２６】
【図１】実施の形態１に係る各階で開閉するドアが異なる二方口エレベータの例を示す図。
【図２】実施の形態１に係る二方口エレベータの内部の例を示す図。
【図３】実施の形態１に係るエレベータかご操作盤装置の例を示す図。
【図４】実施の形態１に係る行先階登録ボタンと開閉ドア表示部の例を示す図。
【図５】実施の形態１に係る行先階登録ボタンと開閉ドア表示部の構成例を示す図。
【図６】実施の形態１に係る行先階登録ボタンと開閉ドア表示部の構成例を示す図。
【図７】実施の形態１に係る二方口エレベータの内部の例を示す図。
【図８】実施の形態１に係るエレベータかご操作盤装置の例を示す図。
【図９】実施の形態１に係る行先階登録ボタンと開閉ドア表示部の構成例を示す図。
【符号の説明】
【００２７】
１  二方口エレベータ、２  ドア、３  かご内操作盤、４  行先階登録ボタン、５  表示装置、６  音声案内装置、７  応答灯、８  応答灯、４０  開閉ドア表示部。
【図１】
2010030714.tif 000003
【図２】
2010030714.tif 000004
【図３】
2010030714.tif 000005
【図４】
2010030714.tif 000006
【図５】
2010030714.tif 000007
【図６】
2010030714.tif 000008
【図７】
2010030714.tif 000009
【図８】
2010030714.tif 000010
【図９】
2010030714.tif 000011